(57)【要約】【課題】結露水の滴下を防止できる結露水滴下防止装置23を提供する。【解決手段】ブランケットクリーナ21を輪転機11に取り付ける取付部22に、結露水滴下防止装置23を設ける。結露水滴下防止装置23は、熱交換器31、熱交換器31に流れる気流を形成する送風部32、熱交換器31で液化した結露水を受収する結露水受部33を備える。結露水滴下防止装置23により、輪転機11内の空気の湿度を低下させ、結露水の滴下を低減する。ブランケットクリーナ21の取付部22を利用することで、結露水滴下防止装置23を輪転機11内に設置できる。【選択図】図１
2010069815.tif 000002
【特許請求の範囲】
【請求項１】
ブランケットクリーナの両端を印刷機に取り付ける一対の取付部の少なくとも一方に配置される冷却部と、
前記取付部に配置され、少なくとも前記冷却部に流れる気流を形成する送風部と、
前記取付部に配置され、前記冷却部で液化された結露水を受収する結露水受部と
を具備していることを特徴とする結露水滴下防止装置。
【請求項２】
冷却部および結露水受部は、両端の取付部に配置され、
送風部は、一端の取付部の冷却部を上から下に通過した空気がブランケットクリーナの下面に沿って他端へ向けて流れる気流を形成するとともに、他端の取付部の冷却部を下から上に通過した空気がブランケットクリーナの上面に沿って一端へ向けて流れる気流を形成する
ことを特徴とする請求項１記載の結露水滴下防止装置。
【請求項３】
結露水受部に受収した結露水を印刷機外へ排水する排水手段を具備している
ことを特徴とする請求項１または２記載の結露水滴下防止装置。
【請求項４】
ブランケットクリーナと、
このブランケットクリーナの両端を印刷機に取り付ける一対の取付部と、
この取付部に配置される請求項１ないし３いずれか記載の結露水滴下防止装置と
を具備していることを特徴とするブランケットクリーナ装置。
【発明の詳細な説明】
【技術分野】
【０００１】
本発明は、印刷機内で結露水が滴下するのを防止する結露水滴下防止装置およびブランケットクリーナ装置に関する。
【背景技術】
【０００２】
従来、オフセット印刷に用いる印刷機である輪転機では、版胴に取り付けた刷版の画線部と非画線部とを有する版面に対して、湿し水と油性のインキとを供給することで、水と油との反発を利用して、湿し水が付着した非画線部へのインキの付着を防止するとともに、湿し水が付着しない画線部にインキを付着させ、このインキをブランケット胴に転写し、このブランケット胴と圧胴とを介して、これらブランケット胴と圧胴との間に供給される紙などの被印刷物に印刷を施すように構成されている。
【０００３】
そして、版面に対して湿し水を供給する際には、スプレーダンプナにより霧状にした水分をローラに噴霧し、このローラと版胴とに接触する水渡しローラにより湿し水を版胴へと供給するように構成されている。
【０００４】
ところで、印刷中には、霧状の湿し水の一部は、輪転機内の空気中に含有され、輪転機内の空気が高温多湿となり、測定では、例えば、温度が３５℃、湿度が９０％にまで達するというデータが得られた。さらに、湿度変化はグラフで示すと上に凸のような形状となり、温度変化は徐々に増加するという傾向が確認された。
【０００５】
このことから、一般的な（定速な）印刷初期は輪転機の内部（版掛けスペース）は多湿になるが、輪転機の金属製の固定部位はさほど温度上昇していない。その結果、特に印刷初期は、その金属面によって多湿な空気が冷やされて結露を引き起こしやすい。その金属面に結露した結露水は、重力により集まり、その量が限界を超えると滴下してしまう。滴下した場所が、版胴やブランケット胴の表面（周面）であると、印刷に悪影響を与えてしまう。
【０００６】
結露対策としては、輪転機の外側から結露を防止する部位に送風して結露を防止したり（例えば、特許文献１参照。）、輪転機の外装にファンを設け、輪転機内の多湿な空気を機外へ排出して結露を防止するようにしている。
【特許文献１】特開２００７−１３０８４０号公報（第５−６頁、図１−２）
【発明の開示】
【発明が解決しようとする課題】
【０００７】
しかしながら、輪転機の高速運転に伴い、外装はカバーが多くなり構造も複雑化しているため、輪転機の外側から内部に送風したり、輪転機内の多湿な空気を機外へ排出しようとしても、細部（奥）まで気流が届かず結露水の滴下は未だ解決されていない。
【０００８】
本発明は、このような点に鑑みなされたもので、結露水の滴下を防止できる結露水滴下防止装置およびブランケットクリーナ装置を提供することを目的とする。
【課題を解決するための手段】
【０００９】
請求項１記載の結露水滴下防止装置は、ブランケットクリーナの両端を印刷機に取り付ける一対の取付部の少なくとも一方に配置される冷却部と、前記取付部に配置され、少なくとも前記冷却部に流れる気流を形成する送風部と、前記取付部に配置され、前記冷却部で液化された結露水を受収する結露水受部とを具備しているものである。
【００１０】
請求項２記載の結露水滴下防止装置は、請求項１記載の結露水滴下防止装置において、冷却部および結露水受部は、両端の取付部に配置され、送風部は、一端の取付部の冷却部を上から下に通過した空気がブランケットクリーナの下面に沿って他端へ向けて流れる気流を形成するとともに、他端の取付部の冷却部を下から上に通過した空気がブランケットクリーナの上面に沿って一端へ向けて流れる気流を形成するものである。
【００１１】
請求項３記載の結露水滴下防止装置は、請求項１または２記載の結露水滴下防止装置において、結露水受部に受収した結露水を印刷機外へ排水する排水手段を具備しているものである。
【００１２】
請求項４記載のブランケットクリーナ装置は、ブランケットクリーナと、このブランケットクリーナの両端を印刷機に取り付ける一対の取付部と、この取付部に配置される請求項１ないし３いずれか記載の結露水滴下防止装置とを具備しているものである。
【発明の効果】
【００１３】
請求項１記載の結露水滴下防止装置によれば、ブランケットクリーナを印刷機に取り付ける取付部に、冷却部、この冷却部に流れる気流を形成する送風部、および冷却部で液化された結露水を受収する結露水受部を設けたため、印刷機内の空気の湿度を低下させ、結露水の滴下を防止することができる。しかも、ブランケットクリーナの取付部を利用することで、ブランケットクリーナからの結露水の滴下を低減でき、さらに、結露水滴下防止装置を印刷機内に設置するための特別な設置構造を用いることなく、結露水滴下防止装置を印刷機内に容易に設置できる。
【００１４】
請求項２記載の結露水滴下防止装置によれば、請求項１記載の結露水滴下防止装置の効果に加えて、送風部により、一端の取付部の冷却部を上から下に通過して湿度が低減された空気がブランケットクリーナの下面に沿って他端へ向けて流れる気流を形成するとともに、他端の取付部の冷却部を下から上に通過して湿度が低減された空気がブランケットクリーナの上面に沿って一端へ向けて流れる気流を形成するため、ブランケットクリーナでの結露を防止し、ブランケットクリーナからの結露水の滴下を低減できる。
【００１５】
請求項３記載の結露水滴下防止装置によれば、請求項１または２記載の結露水滴下防止装置の効果に加えて、排水手段により、結露水受部に受収した結露水を印刷機外へ排出するため、印刷機内の余分な水分を印刷機外に排出できる。
【００１６】
請求項４記載のブランケットクリーナ装置によれば、ブランケットクリーナを印刷機に取り付ける取付部に結露水滴下防止装置を配置したため、ブランケットクリーナからの結露水の滴下を低減でき、さらに、結露水滴下防止装置を印刷機内に設置するための特別な設置構造を用いることなく、結露水滴下防止装置を印刷機内に容易に設置できる。
【発明を実施するための最良の形態】
【００１７】
以下、本発明の一実施の形態を、図面を参照して説明する。
【００１８】
図３において、11は印刷機としてのオフセット印刷用の輪転機で、この輪転機11は、両面印刷用のものであり、用紙12を下方から上方へ搬送する図示しない搬送機構、図示しない刷版が周面に装着された版胴13、この版胴13の刷版に湿し水を供給する図示しない湿し水供給機構、版胴13の刷版にインキを供給する図示しないインキ供給機構、版胴13の刷版との接触によって転写されたインキを用紙12に転写するブランケット胴14、およびこのブランケット胴14を清掃するブランケットクリーナ装置15などを備えている。これら版胴13、湿し水供給機構、インキ供給機構、ブランケット胴14、ブランケットクリーナ装置15などは、用紙12を挟んで一対ずつ配置されている。
【００１９】
輪転機11では、版胴13の刷版の画線部と非画線部とを有する版面に対して、湿し水と油性のインキとを供給することで、水と油との反発を利用して、湿し水が付着した非画線部へのインキの付着を防止するとともに、湿し水が付着しない画線部にインキを付着させ、このインキをブランケット胴14に転写し、一対のブランケット胴14間に供給される用紙12の両面に印刷を施すように構成されている。
【００２０】
また、図１ないし図３に示すように、ブランケットクリーナ装置15は、ブランケットクリーナ21、およびこのブランケットクリーナ21の両端を輪転機11の両側のフレーム11aに取り付ける一対の取付部22、これら取付部22に配置された結露水滴下防止装置23を備えている。
【００２１】
ブランケットクリーナ21は、ブランケット胴14の軸方向に沿って長尺に設けられ、ブランケット胴14の表面に付着したインキや紙粉などの汚れを例えばブラシや不織布などで取り除くものである。ブランケットクリーナ21は、清掃時にブランケット胴14に接近し、清掃時以外にはブランケット胴14から離反するように、取付部22に対して移動可能としている。
【００２２】
取付部22は、ブランケットクリーナ21を取り付ける取付板26、およびこの取付板26をフレーム11aに取り付ける複数の取付脚27を備えている。取付板26とフレーム11aとの間には間隙が形成されている。
【００２３】
結露水滴下防止装置23は、取付板26とフレーム11aとの間に間隙に配置されており、冷却部としての熱交換器31、この熱交換器31を空気が流れる気流を形成する送風部32、熱交換器31で結露した結露水を受収する結露水受部33、およびこの結露水受部33内の結露水を排水する排水手段34を備えている。
【００２４】
熱交換器31は、図示しない冷却装置に対して冷却水がパイプ35を通じて循環されるもので、空気との接触面積を増加させるために複数のフィン36がパイプ35に取り付けられている。複数のフィン36は、フィン36間を上下方向に空気が流通するように縦向きに配置されている。
【００２５】
送風部32は、両端の取付板26の上下部に取り付けられたエアノズル37を備えている。これらエアノズル37は、図示しないエア供給装置から配管を通じて圧縮空気が供給され、エアノズル37の先端から圧縮空気を噴出する。取付板26の上側に取り付けられたエアノズル37はブランケットクリーナ装置15の一端側へ向けて空気を噴出する向きにそれぞれ配置され、取付板26の下側に取り付けられたエアノズル37はブランケットクリーナ装置15の他端側へ向けて空気を噴出する向きにそれぞれ配置されている。そのため、一端の取付部22の熱交換器31を上から下に通過して湿度が低減された空気がブランケットクリーナ21の下面に沿って他端へ向けて流れる気流が形成されるとともに、他端の取付部22の熱交換器31を下から上に通過して湿度が低減された空気がブランケットクリーナ21の上面に沿って一端へ向けて流れる気流が形成される。
【００２６】
結露水受部33は、熱交換器31やこの熱交換器31に対向する取付板26の面の下方に滴下する結露水を受収する皿状に形成されている。
【００２７】
排水手段34は、結露水受部33に接続された排水パイプ38、およびこの排水パイプ38を通じて結露水受部33に受収されている結露水を吸引して輪転機11外へ排水する図示しない吸引装置を備えている。
【００２８】
次に、結露水滴下防止装置23の動作を説明する。
【００２９】
熱交換器31に冷却水を循環供給し、各エアノズル37に圧縮空気を供給し、各エアノズル37からの圧縮空気の噴出により、ブランケットクリーナ21の周囲に気流を発生させる。
【００３０】
ブランケットクリーナ装置15の一端の取付部22の熱交換器31を上から下に通過した空気がブランケットクリーナ21の下面に沿って他端へ向けて流れるとともに、ブランケットクリーナ装置15の他端の取付部22の熱交換器31を下から上に通過した空気がブランケットクリーナ21の上面に沿って一端へ向けて流れる。
【００３１】
ブランケットクリーナ装置15の一端の取付部22の熱交換器31を上から下に空気が通過する間、およびブランケットクリーナ装置15の他端の取付部22の熱交換器31を下から上に空気が通過する間に、冷却水の循環によって温度が低くなっている熱交換器31の表面で空気が冷やされて空気中に含まれる水分が結露し、通過後の空気の湿度が低くなる。
【００３２】
熱交換器31の表面で結露した結露水は、重力によって流れ落ち、結露水受部33に受収される。
【００３３】
したがって、輪転機11内の空気の湿度を低下させ、輪転機11内での結露の発生を低減し、結露水の滴下を低減することができる。
【００３４】
特に、ブランケットクリーナ装置15の一端の取付部22の熱交換器31を上から下に通過して湿度が低減された空気がブランケットクリーナ21の下面に沿って他端へ向けて流れるとともに、ブランケットクリーナ装置15の他端の取付部22の熱交換器31を下から上に通過して湿度が低減された空気がブランケットクリーナ21の上面に沿って一端へ向けて流れるため、湿度が低減された空気がブランケットクリーナ21の周りを流れ、ブランケットクリーナ21での結露を低減でき、ブランケットクリーナ21からの結露水の滴下を低減できる。
【００３５】
また、排水手段34により、結露水受部33に受収した結露水を吸引して輪転機11外へ送ることにより、輪転機11内の余分な水分を輪転機外へ排出できる。また、排水手段34として、吸引装置を用いて結露水受部33内の結露水を吸引して排出することにより、排水経路の自由なレイアウトが可能となる。
【００３６】
なお、結露水滴下防止装置23は、ブランケットクリーナ装置15の一端側にのみ設けてもよい。この場合、送風部32により、ブランケットクリーナ装置15の一端の取付部22の熱交換器31を上から下に通過した空気がブランケットクリーナ21の下面に沿って他端へ向けて流れる気流を形成し、湿度が低減された空気をブランケットクリーナ21の下面に沿って流し、結露水の滴下が発生しやすいブランケットクリーナ21の下面からの結露水の低下を低減できる。
【００３７】
また、排水手段としては、吸引装置を用いて結露水受部33内の結露水を吸引して排出する場合に限られず、高低差によって自然に流出するように構成してもよい。
【図面の簡単な説明】
【００３８】
【図１】本発明の一実施の形態を示す結露水滴下防止装置を適用したブランケットクリーナ装置の側面図である。
【図２】同上ブランケットクリーナ装置の図１のＡ−Ａ断面図である。
【図３】同上ブランケットクリーナ装置を適用した印刷機の内部構造を示す斜視図である。
【符号の説明】
【００３９】
11    印刷機としての輪転機
15    ブランケットクリーナ装置
21    ブランケットクリーナ
22    取付部
23    結露水滴下防止装置
31    冷却部としての熱交換器
32    送風部
33    結露水受部
34    排水手段
【図１】
2010069815.tif 000003
【図２】
2010069815.tif 000004
【図３】
2010069815.tif 000005